(57)【特許請求の範囲】
【請求項１】
前面の凹溝内に複数の係止孔が上下方向に沿って列設したコ字状の取付金具を嵌着固定した支柱本体と、該支柱本体の凹溝内下端で凹凸嵌合し前方を向くベース脚とを有する側面視Ｌ字形をなす左右１対の支柱同士を、左右方向を向く連結杆により連結してなる商品陳列棚において、
前記左右のベース脚の上面に、該ベース脚の板厚と略同寸法の板厚を有する側面板を当接させ、ベース脚と側面板との当接面に形成された突部と凹部の嵌合により側面板の左右方向への移動を阻止するとともに、側面板の後端に突設した係合爪を前記支柱本体の係止孔に係合させ、該両側面板の上面に棚板を取付けることにより、その下方に収納空間を形成したことを特徴とする商品陳列棚。
【請求項２】
棚板の下方の収納空間に、引出しを収容した請求項１に記載の商品陳列棚。
【発明の詳細な説明】
【０００１】
【発明の属する技術分野】
本発明は、最下段の棚板の下方に収納空間が形成されるようにした商品陳列棚に関する。
【０００２】
【従来の技術】
店舗等で使用される商品陳列棚の中には、商品の補充を速やかに行うために、最下段の棚板を床面より所要寸法高い位置に取付け、その下方の空間部に、ストック商品を収納して保管し得るようにしたものがある。
【０００３】
【発明が解決しようとする課題】
最下段の棚板の下方に収納空間を形成する場合、従来は、例えば側面視Ｌ字形をなす左右１対の支柱の下端の前方を向くベース脚の上下寸法を大として、両ベース脚の上面に棚板を取付け、それと左右のベース脚とにより囲まれた空間を収納空間としている。
【０００４】
しかし、上記のようにベース脚の上下寸法を大とすると、汎用性の高い通常の支柱が使用できなくなり、専用の支柱を製作しなければならないため、コストが増大する。
【０００５】
しかも、収納空間の上下寸法に対応して、ベース脚の上下寸法の異なる支柱を複数種類用意しておく必要があるため、これもコスト高の要因となる。
【０００６】
本発明は、上記問題点を解決するためになされたもので、通常の汎用性の高い支柱を利用して、最下段の棚板の下方に所要大きさの収納空間を簡単に形成することができるようにした商品陳列棚を提供することを目的としている。
【０００７】
【課題を解決するための手段】
上記目的を達成するために、本発明の商品陳列棚は、前面の凹溝内に複数の係止孔が上下方向に沿って列設したコ字状の取付金具を嵌着固定した支柱本体と、該支柱本体の凹溝内下端で凹凸嵌合し前方を向くベース脚とを有する側面視Ｌ字形をなす左右１対の支柱同士を、左右方向を向く連結杆により連結してなる商品陳列棚において、
前記左右のベース脚の上面に、該ベース脚の板厚と略同寸法の板厚を有する側面板を当接させ、ベース脚と側面板との当接面に形成された突部と凹部の嵌合により側面板の左右方向への移動を阻止するとともに、側面板の後端に突設した係合爪を前記支柱本体の係止孔に係合させ、該両側面板の上面に棚板を取付けることにより、その下方に収納空間を形成したことを特徴としている。
上記構成の本発明によれば、左右のベース脚の上面に、側面板を、前後左右方向に移動するのを阻止して取付け得るので、上下寸法の小さいベース脚を有する通常の支柱を用いても、両側面板上に取付けた棚板の下方に、簡単に収納空間を形成することができる。そしてベース脚と側面板との当接面に形成した突部と凹部とを上方より嵌合するだけで、ベース脚に対し側面板が左右方向に移動するのを簡単に防止することができる。また、支柱本体を木製としても、その前面の凹溝内にコ字形の取付金具を嵌着してあるため、支柱本体が補強され、曲げ強度が高まる。
【０００９】
上記商品陳列棚において、棚板の下方の収納空間に、引出しを収容するのが好ましい。
このようにすると、収納空間が引出しにより体裁よく塞がれるとともに、収納空間へのストック商品等の出し入れが容易となる。
【００１０】
【発明の実施の形態】
以下、本発明の実施形態を図面に基づいて説明する。
【００１１】
図１は、本発明を適用した商品陳列棚の斜視図を示すもので、左右の支柱１，１は、木製角材よりなる支柱本体１ａと、その下端の前面に前方を向いて取付けられた木製角材よりなる短寸のベース脚１ｂとにより、側面視Ｌ字形をなしている。支柱本体１ａとベース脚１ｂの左右寸法は等しくしてある。
【００１２】
両支柱本体１ａの対向面に形成された上下方向を向く嵌合溝２には、後面板３が、上方より落とし込んで取付けられている。両支柱本体１ａの上端の対向面間には、その前後寸法と等しい幅寸法の木製の連結杆４が取付けられている。
【００１３】
図２ないし図４に示すように（左右対称で同一構成であるため、右方のみ図示する）、左右の支柱本体１ａの前面には、前方が開口する凹溝５が全長に亘って形成され、その凹溝５の下端部に、上記ベース脚１ｂが嵌合されている。
【００１４】
すなわち、ベース脚１ｂの後端には、凹溝５の幅及び深さとほぼ等しい嵌合突部６が突設され、その後端面には、凹溝５の溝底面に形成された嵌合孔７に嵌合可能な上下２個の軸状突部８が突設されている。
【００１５】
上記嵌合突部６を、上下の軸状突部８と嵌合孔７とを整合させるようにして、凹溝５の下端部に強く押込むことにより、ベース脚１ｂは、その下面が支柱本体１ａの下端面と同一面をなすように嵌合されている。
【００１６】
ベース脚１ｂの嵌合後において、その後端部上面と凹溝５の溝底面とは、その部分に側面視Ｌ字形の上部連結金具９をねじ１０により固定することにより、連結されている。
【００１７】
なお、ベース脚１ｂの上面における上部連結金具９の水平片９ａの取付部には、その板厚分だけ凹ませた凹部１１が形成され、水平片９ａの上面がベース脚１ｂの上面と同一面となるようにしてある。
【００１８】
支柱本体１ａの下端部後面とベース脚１ｂの後端部下面とは、その部分に側面視Ｌ字形をなす下部連結金具１２をねじ１０により固定することにより、連結されている。
【００１９】
下部連結金具１２の水平片１２ａの後端部上面の雌ねじ筒１３と、ベース脚１ｂの前端部下面に嵌着された雌ねじ筒（図示略）とには、アジャスタボルト１４，１４が下方より螺合されている。
【００２０】
左右の支柱本体１ａの凹溝５におけるベース脚１ｂの嵌合部より上方には、平面視コ字形をなすとともに、前面の左右両側部に、複数の縦長スリット状の係止孔１５が上下方向に列設された取付金具１６が嵌合され、上下複数個所が皿ねじ１７により固定されている。また、取付金具１６の前面と、支柱本体１ａの前面とは同一面をなすようにしてある。
【００２１】
また、上記上部連結金具９の左右寸法を、取付金具１６の左右両側片１６ａの対向面間の寸法よりも小さくすることにより、上部連結金具９の垂直片９ｂが、取付金具１６内に収容されて覆われるようになっている。
【００２２】
図１に示すように、左右の取付金具１６の係止孔１５に、金属製のブラケット２２の後端の係合爪（図示略）を係合して取付け、その上面に棚板１８を取付けることにより、棚板１８は強固に支持される。
【００２３】
１９は、左右のベース脚１ｂの上面に取付けられる木製の側面板で、その板厚は、ベース脚１ｂの左右寸法と等しく、かつ前後寸法は、ベース脚１ｂの支柱本体１ａの前面より突出寸法と等寸とされている。
【００２４】
側面板１９の内側面上部には、板厚方向に凹ませた凹部２０が形成され、この凹部２０内の奥面のは、後面に、取付金具１６の係止孔１５に係合可能な上下２個の係合爪２１を有するブラケット２２が、ねじ２３により固定されている。
【００２５】
側面板１９の下面の前後部には、軸状突部２４，２４が下向きに突設され、両軸状突部２４は、ベース脚１ｂの上面に形成された係合孔２５に嵌合されるようになっている。なお、上記とは反対に、軸状突部２４をベース脚１ｂ側に、係合孔２５を側面板１９側に、それぞれ形成してもよい。
【００２６】
側面板１９の上面の前後の端部には、それに載置されるベース棚板２６の下面の係合孔（図示略）に嵌合可能な２個ずつの軸状突部２７が突設されている。両側面板１９は、そのブラケット２２の係合爪２１を、取付金具１６の適宜の係止孔１５に係合させるとともに、下面の軸状突部２４をベース脚１ｂの係合孔２５に嵌合することにより、ベース脚１ｂの上面に、左右方向に移動するのを防止されて安定的に取付けられる。
【００２７】
取付後において、両側面板１９上にベース棚板２６を載置すると、その下方に比較的大きな収納空間Ｓが形成され、その中に例えばキャスタ付きの引出し２８を収納することにより、これにストック商品等を体裁よく保管しておくことができる。
【００２８】
以上説明した商品陳列棚においては、支柱本体１ａを木製としても、その前面の凹溝５内にコ字形の取付金具１６を嵌着してあるため、支柱本体１ａが補強され、曲げ強度が高まる。
【００２９】
従って、棚板１８の支持強度も高くなり、その取付数を増やして多くの商品を陳列したり、重量のある商品を載置することができる。また、ベース脚１ｂの後端部は、支柱本体１ａの凹溝５内に嵌合され、しかも上下の連結金具９，１２により支柱本体１ａに結合されているため、ベース脚１ｂの取付部の強度が高まり、左右及び上下方向に動いたりするのが防止される。その結果、木製とした支柱１全体の強度が増大し、複数の棚板１８を安定的に支持することができる。
【００３０】
上部連結金具９の垂直片９ａは、取付金具１６内に位置して外部より見えないので、見栄えが向上する。また、水平片９ａも、ベース板１ｂの上面の凹部１１に嵌合されているので、段差が形成されることがなく、側面板１９の取付けの障害となることはない。
【００３１】
側面板１９は、ブラケット２２と軸状突部２４により、前後及び左右方向に移動するのが防止されて、ベース脚１ｂの上面に取付けられているので、ベース棚板２６が安定的に支持されるとともに、上下寸法の小さな汎用性の高いベース脚１ｂを使用して、所要大きさの収納空間Ｓを簡単に形成することができる。
【００３２】
しかも、収納空間Ｓの大きさは、上下寸法の異なる側面板１９を複数用意しておき、これを交換するだけで簡単かつ安価に変更することができる。
【００３３】
本発明は、上記実施形態に限定されるものではなく、種々の形態をとり得る。
【００３４】
軽い商品を陳列する際など、ベース脚１ｂの取付強度がそれ程要求されないときには、上下の連結金具９，１２のいずれか一方を省略することもできる。
【００３５】
側面板１９の上下寸法が大きいときは、ブラケット２２を下端部にも設けてもよい。
【００３６】
また、側面板１９の横移動規制手段は、上記軸状突部２４と係合孔２５の外に、例えばベース脚１ｂと側面板１９との当接面に形成した、互いに嵌合し合う前後方向を向く凸条と凹条とすることもできる。
【００３７】
収納空間Ｓ内に、引出し２８の代わりに、棚板を設けてもよい。
【００３８】
【発明の効果】
本発明によれば、次のような効果を奏する。
【００３９】
（ａ）請求項１に記載の発明によれば、側面板を、ベース脚の上面に前後左右方向への移動を阻止して取付けることができるので、上下寸法の小さな汎用性の高い安価なベース脚を使用して、両側面板に載置した棚板の下方に、所要大きさの収納空間を簡単に形成することができる。しかも、収納空間の大きさは、側面板のみを変えるだけで容易に変更することができる。そしてベース脚と側面板との当接面に形成した突部と凹部とを上方より嵌合するだけで、ベース脚に対し側面板が左右方向に移動するのを簡単に防止することができる。また、支柱本体を木製としても、その前面の凹溝内にコ字形の取付金具を嵌着してあるため、支柱本体が補強され、曲げ強度が高まる。
【００４１】
（ｂ）請求項２に記載の発明によれば、収納空間が引出しにより体裁よく塞がれるとともに、収納空間内へのストック商品等の出し入れが容易となる。
【図面の簡単な説明】
【図１】本発明を適用した商品陳列棚の斜視図である。
【図２】同じく、右方のベース脚取付部の分解斜視図である。
【図３】同じく、側面板を取付ける前のベース脚取付部の斜視図である。
【図４】同じく、図４のIV−IV線の横断平面図である。
【符号の説明】
１              支柱
１ａ            支柱本体
１ｂ            ベース脚
２              嵌合溝
３              後面板
４              連結杆
５              凹溝
６              嵌合突部
７              嵌合孔
８              軸状突部
９              上部連結金具
９ａ            水平片
９ｂ            垂直片
１０            ねじ
１１            凹部
１２            下部連結金具
１２ａ          水平片
１３            雌ねじ筒
１４            アジャスタボルト
１５            係止孔
１６            取付金具
１６ａ          側片
１７            皿ねじ
１８            棚板
１９            側面板
２０            凹部
２１            係合爪
２２            ブラケット
２３            ねじ
２４            軸状突部
２５            係合孔
２６            ベース棚板
２７            軸状突部
２８            引出し
Ｓ              収納空間
【図１】
0004224244.tif 000002
【図２】
0004224244.tif 000003
【図３】
0004224244.tif 000004
【図４】
0004224244.tif 000005